(57)【要約】【課題】スマートフォンなどの携帯端末が落下することを未然に防止できる携帯端末用ケースを提供する。【解決手段】携帯端末用ケース１は、携帯端末２を着脱可能に収容する携帯端末用ケース１であって、携帯端末２を保護するための四角形状の枠体３を備え、枠体３の上側面には、紐状素材を通すための通し穴４ｃが形成される。この構成により、携帯端末用ケース１は、スマートフォンなどの携帯端末が落下することを未然に防止できる。【選択図】図１
0003221926.tif 000002
【実用新案登録請求の範囲】
【請求項１】
携帯端末を着脱可能に収容する携帯端末用ケースであって、
当該携帯端末用ケースは、携帯端末を保護するための四角形状の枠体を備え、当該枠体の上側面には、紐状素材を通すための通し穴が形成される、ことを特徴とする携帯端末用ケース。
【請求項２】
前記枠体の上側面には、前記通し穴を有する一対の突起部が形成される、ことを特徴とする請求項１記載の携帯端末用ケース。
【請求項３】
前記枠体は、板状の上枠、左枠、右枠及び下枠が一体連結して形成され、
前記枠体の背面側であって、且つ前記左枠及び前記右枠の上下方向の略中央位置には、前記左枠及び前記右枠を横架する横架部が一体連結して形成される、ことを特徴とする請求項１又は２に記載の携帯端末用ケース。
【請求項４】
前記枠体の開口面側には、内部に収容される携帯端末を係止するために複数の爪部が形成される、ことを特徴とする請求項１乃至３のいずれか一項に記載の携帯端末用ケース。
【請求項５】
前記枠体には、携帯端末の側面に備わる入力部を外側から操作するための開口部が形成される、ことを特徴とする請求項１乃至４のいずれか一項に記載の携帯端末用ケース。
【考案の詳細な説明】
【技術分野】
【０００１】
本考案は、スマートフォンなどの携帯端末を保持する携帯端末用ケースに関する。
【背景技術】
【０００２】
近年、スマートフォンなどの携帯端末は人々の生活に必要不可欠な電子機器となっており、スマートフォンやタブレットなどの携帯端末に用いる多種多様な携帯端末用ケースが販売されている。
【０００３】
例えば、図３（ａ）に示す携帯端末用ケース１０は手帳型ケースと呼ばれ、内側に携帯端末を収容して、携帯端末を外部の衝撃から守る。図３（ｂ）に示す携帯端末用ケース１１はケース型と呼ばれ、外部筐体が携帯端末の背面と側面を保護し、比較的軽く、耐衝撃性が高いことが特徴である。
【０００４】
ところで、携帯電話ケースとして、例えば、２つ折りされるケースの一方の側の内側に携帯電話が固定保持され、他方の側が携帯電話の液晶面のカバーとなる意匠が開示されている（例えば、特許文献１参照）。また、ケース型の携帯電話ケースとしては、スマートフォンなどの機器の操作の安全性を高めた携帯電話カバーが開示されている（例えば、特許文献２参照）。
【先行技術文献】
【特許文献】
【０００５】
【特許文献１】意匠登録第1535651号
【特許文献２】特開2013-165470号公報
【考案の概要】
【考案が解決しようとする課題】
【０００６】
しかしながら、ほとんどの携帯端末用ケースは、落下時の衝撃から携帯端末のディスプレイや携帯端末本体を守ることを目的とし、また、同時にファッション性を追求したものである。従って、内部に収容した携帯端末が落下すること自体を防止できる携帯端末用ケースがないという問題がある。
【０００７】
本考案は、上記課題に鑑みてなされたものであり、スマートフォンなどの携帯端末が落下することを未然に防止できる携帯端末用ケースを提供することを目的とする。
【課題を解決するための手段】
【０００８】
上記課題を解決するため、本考案は、携帯端末を着脱可能に収容する携帯端末用ケースであって、当該携帯端末用ケースは、携帯端末を保護するための四角形状の枠体を備え、当該枠体の上側面には、紐状素材を通すための通し穴が形成されることを特徴とするものである。
【０００９】
この携帯端末用ケースにおいて、前記枠体の上側面には、前記通し穴を有する一対の突起部が形成されることが好ましい。
【００１０】
この携帯端末用ケースにおいて、前記枠体は、板状の上枠、左枠、右枠及び下枠が一体連結して形成され、前記左枠及び前記右枠の上下方向の略中央位置には、前記左枠及び前記右枠を横架する横架部が一体連結して形成されることが好ましい。
【００１１】
この携帯端末用ケースにおいて、前記枠体の開口面側には、内部に収容される携帯端末を係止するために複数の爪部が形成されることが好ましい。
【００１２】
この携帯端末用ケースにおいて、前記枠体には、携帯端末の側面に備わる入力部を外側から操作するための開口部が形成されることが好ましい。
【考案の効果】
【００１３】
本考案に係る携帯端末用ケースは、携帯端末を着脱可能に収容する携帯端末用ケースであって、当該携帯端末用ケースは、携帯端末を保護するための四角形状の枠体を備え、当該枠体の上側面には、紐状素材を通すための通し穴が形成される。この構成により、本願考案に係る携帯端末用ケースは、枠体の内部に収容したスマートフォンなどの携帯端末が落下することを未然に防止できる。
【図面の簡単な説明】
【００１４】
【図１】（ａ）本実施の形態に係る携帯端末用ケースの平面図、（ｂ）同上携帯端末用ケースの正面図、（ｃ）同上携帯端末用ケースの左側面図、（ｄ）同上携帯端末用ケースの背面図、（ｅ）同上携帯端末用ケースの右側面図、（ｆ）同上カバー部の底面図である。
【図２】同上携帯端末用ケースの使用状態を示す参考図である。
【図３】（ａ）従来の携帯端末用ケースを示す参考図、（ｂ）従来のケース型の携帯端末ケースを示す参考図である。
【考案を実施するための形態】
【００１５】
（実施の形態）
本考案の実施の形態に係る携帯端末用ケースについて図面を参照して説明する。この携帯端末用ケースは、主に、携帯端末の落下を未然に防止すると共に、落下時の衝撃から携帯端末のディスプレイや携帯端末本体を守ることを特徴とする。また、本実施の形態の説明において、携帯端末とは、例えばスマートフォン、タブレット端末、携帯電話機など持ち運びが可能なあらゆる端末を含むものである。
【００１６】
最初に、本実施の形態に係る携帯端末用ケースの構成に関して、図１を参照しながら説明する。携帯端末用ケース１は、携帯端末２を着脱可能に収容するケースであって、携帯端末２の側面を外側から保護するための四角形状の枠体３を備える。
【００１７】
枠体３の上側面には、紐やチェーンなどの紐状素材を通すための通し穴４ｃが形成される。より具体的には、枠体３の上側面には、通し穴４ｃを有する一対の突起部４ａ，４ｂが形成される。なお、一対の突起部４ａ，４ｂの形成される位置は枠体３の上側面の両端側に限定されるものではなく、枠体３の左右側面などに形成しても良い。通し穴４ｃは、携帯端末用ケース１を首からぶら下げるための紐やチェーンなどが通される穴部である。なお、通し穴４ｃを用いて好みのストラップなどを携帯することも可能となる。また、紐状素材は、紐やチェーンに限定されるものではなく、ベルト状のものなど携帯端末２を首から提げることができる素材であればよい。
【００１８】
枠体３は、図１（ｂ）に示すように、略板形状の上枠３１、左枠３２、右枠３３及び下枠３４が一体連結して形成されている。また、図１（ｄ）に示すように、枠体３の背面側であって、且つ左枠３２及び右枠３３の上下方向の略中央位置には、左枠３２及び右枠３３を横架する横架部３５が一体連結して形成される。この横架部３５により携帯端末用ケース１の落下強度を強くして携帯端末２の破損を防止できる。また、携帯端末２の側面及び背面の全てが覆われていないため、携帯端末２の使用中に筐体が熱くなり故障の原因となることを防止できる。
【００１９】
枠体３の開口面側には、内部に収容される携帯端末２を係止するための複数の爪部３６が形成される。爪部３６は、例えば左枠３２及び右枠３３から内側に0.5-0.6ｍｍ程度延出された延出部であり、携帯端末２を枠体３の内部に確実に保持する。また、枠体３には、携帯端末２の側面に備わる入力部、例えば音量ボタン、電源ボタン、給電部、コネクタなどを外側から操作するための複数の開口部３７が形成される。
【００２０】
携帯端末用ケース１は、鉄やアルミニウムなどの金属、繊維強化プラスチック、熱可塑性樹脂などを用いて形成され、非常に強固であると共に枠体３であるために非常に軽量となる。また、シリコン樹脂などの軟性樹脂を用いて枠体３を被覆してもよい。
【００２１】
次に、本実施の形態に係る携帯端末用ケース１の使用状態に関して、図２を参照しながら説明する。携帯端末２を枠体３に装着する際には、携帯端末２を、枠体３の内部空間に滑り込ませて爪部３６で携帯端末２の表面端側を係止する。次に、図２に示すように、携帯端末用ケース１の突起部４ａ，４ｂに形成された通し穴４ｃに紐やチェーンなどの紐状素材５を通して、携帯端末用ケース１を首などからぶら下げることができる状態とする。最後に、紐やチェーンを首に掛けた状態で携帯端末２を携帯する。
【００２２】
以上の説明のように、本実施の形態に係る携帯端末用ケース１は、携帯端末２を着脱可能に収容する携帯端末用ケース１であって、携帯端末２を保護するための四角形状の枠体３を備え、枠体３の上側面には、通し穴４ｃを有する一対の突起部４ａ，４ｂが形成される。そして、通し穴４ｃに紐やチェーンなどの紐状素材を通して、首などからぶら下げて携帯端末を携帯でき、この結果、枠体３の内部に収容されたスマートフォンなどの携帯端末が落下することを未然に防止できる。また、携帯端末２のひったくり防止にもなる。さらに、携帯端末２を置き忘れるなどの心配はなくなり、携帯端末２の持ち運び時に非常に便利である。
【００２３】
また、携帯端末用ケース１の枠体３は、略板形状の上枠３１、左枠３２、右枠３３及び下枠３４が一体連結して形成されているため、強度があると共に、非常に薄く軽量である。さらに、枠体３の側面には操作用の開口部３７が形成されているために、携帯端末２の操作がし易く、レジャー、イベント、災害時、緊急時などのあらゆる場面において携帯端末用ケース１を有効に活用できる。
【００２４】
なお、本考案は、上記実施の形態の構成に限られず、考案の趣旨を変更しない範囲で種々の変形が可能である。例えば、本考案に係る携帯端末用ケースをぶら下げるための構造は突起部に限定されるものではなく他の形態も考え得る。
【符号の説明】
【００２５】
１  携帯端末用ケース
２  携帯端末
３  枠体
３１  上枠
３２  左枠
３３  右枠
３４  下枠
３５  横架部
３６  爪部
３７  開口部
４ａ，４ｂ  突起部
４ｃ  通し穴
５  紐状素材
【図１】
0003221926.tif 000003
【図２】
0003221926.tif 000004
【図３】
0003221926.tif 000005